(57)【特許請求の範囲】
【請求項１】
１２個の多面体から構成される多面体玩具であって、
前記多面体は、それぞれ４角錐形状を有しており、
三角形面が他の多面体の三角形面と重なるように６つの多面体からなる第１及び第２の立方体を形成し、かつ、当該２つの立方体を同一平面上に載置した状態において、
前記第１及び第２の立方体はそれぞれ、
立方体の上面を構成する第１の多面体が、前記立方体の第１の側面を構成する第２の多面体及び前記第１の側面と隣接する第２の側面を構成する第３の多面体と、各底面の各辺により連結され、
前記第２の多面体が、立方体の前記第２の側面と対向する第３の側面を構成する第４の多面体と、各底面の各辺により連結され、
前記第４の多面体が、立方体の前記上面と対向する下面を構成する第５の多面体と、各底面の各辺により連結され、かつ、
前記第５の多面体が、立方体の前記第１の側面と対向する第４の側面を構成する第６の多面体と、各底面の各辺により連結され、
前記第１の立方体の前記第３の多面体が、前記第２の立方体の前記第６の多面体と、各底面の各辺により連結され、
前記第２の立方体の前記第３の多面体が、前記第１の立方体の前記第６の多面体と、各底面の各辺により連結されていることを特徴とする多面体玩具。
【請求項２】
少なくとも１台の多面体玩具により遊技可能な請求項１に記載の多面体玩具。
【請求項３】
少なくとも２台の多面体玩具を互いに雌雄状にして嵌合させることにより、遊技可能な請求項１に記載の多面体玩具。
【請求項４】
少なくとも２台の多面体玩具をそれぞれ変容させることにより、積木のように遊技可能な請求項１に記載の多面体玩具。
【請求項５】
前記１２個の多面体が１つの連結部材を介して連結されている請求項１に記載の多面体玩具。
【請求項６】
前記１２個の多面体が前記１つの連結部材を介して互いに間隔を空けて連結されている請求項５に記載の多面体玩具。
【請求項７】
前記連結部材の幅寸法は、前記多面体の底面の辺の寸法よりも短い請求項６に記載の多面体玩具。
【発明の詳細な説明】
【技術分野】
【０００１】
本発明は、長方体の形態から、種々の形態に変容させることができる多面体玩具に関するものである。
【背景技術】
【０００２】
従来、互いに雌雄状に嵌合可能で、しかも星型多面体と立方体の間で変容可能な２つの玩具本体からなる多面体玩具が知られており、その構成及び製造方法が、特許文献１に開示されている。
２つの玩具本体を玩具本体Ａと玩具本体Ｂとすると、各玩具本体Ａ及び玩具本体Ｂは、それぞれ８個の多面単位体からなっている。【０００３】
その遊戯方法には、主な遊戯方法として２つのパターンがある。
その１つのパターンは次のようである。
特許文献１の第１図に示された形態を玩具本体Ａの初期形態として、その状態から分割線１４（第１図参照）を中心に玩具本体Ａを展開させると、その中から星型多面体の玩具本体Ｂが現れる。その星型多面体の玩具本体Ｂを玩具本体Ａから取出して分離させる。分離後に玩具本体Ａを展開させて、星型多面体を完成させる。
もう１つのパターンは次のようである。
玩具本体Ａの前記初期形態の状態では、その立方体の表面に玩具本体Ａを構成する各正方形の色彩が現れている。この状態から前記分割線１４に交差する分割線を中心に玩具本体Ａを展開させて、玩具本体Ｂを構成する各正方形の色彩が現れるように、玩具本体Ａから、玩具本体Ｂの立方体に変容させるものである。
即ち、特許文献１の多面体玩具の遊戯方法は、玩具本体Ａ又は玩具本体Ｂの立方体から、その表面を反転させて、色代わりの立方体に変容させる、又は、玩具本体Ａ又は玩具本体Ｂの立方体と星型多面体に交互に変容させるものである。【０００４】
しかし、玩具本体Ａ又は玩具本体Ｂを色変りの立方体に変容させる、又は、立方体と星型多面体に交互に変容させるような遊戯方法は、その遊戯のパターンに限界があった。
また、玩具本体Ａ及び玩具本体Ｂをペアとする遊戯方法が基本とされ、玩具本体Ａ及び玩具本体Ｂを単体で使用する遊戯方法も限定されていた。
さらに、玩具本体Ａ及び玩具本体Ｂをペアとする遊戯方法が基本とされ、２つ以上の複数の立方体玩具を組み合わせる等して遊戯の内容を豊富にさせる展開性に乏しかった。
【先行技術文献】
【特許文献】
【０００５】
【特許文献１】特公昭６３−３６２７２号公報
【発明の概要】
【発明が解決しようとする課題】
【０００６】
このように、従来の多面体玩具は、遊戯方法のパターンが限定的である。そこで、本発明は、従来よりも遊戯パターンが豊富であり、かつ、形態の変化の予測がつかず、そのことによりパズルの要素を高めることが可能な多面体玩具を提供することを目的とする。
また、１つの多面体玩具でも、その形態の変化を楽しむことができる多面体玩具を提供すること、２つ以上の複数の多面体玩具を組み合わせて、遊戯の内容を豊富にさせる展開性を備えた多面体玩具を提供することを目的とする。
【課題を解決するための手段】
【０００７】
本発明は、１２個の多面体から構成される多面体玩具であって、
多面体は、それぞれ４角錐形状を有しており、
三角形面が他の多面体の三角形面と重なるように６つの多面体からなる第１及び第２の立方体を形成し、かつ、当該２つの立方体を同一平面上に載置した場合の平面視において、
第１及び第２の立方体はそれぞれ、
立方体の上面を構成する第１の多面体が、立方体の第１の側面を構成する第２の多面体及び第１の側面と隣接する第２の側面を構成する第３の多面体と、各底面の各辺により連結され、
第２の多面体が、立方体の第２の側面と対向する第３の側面を構成する第４の多面体と、各底面の各辺により連結され、
第４の多面体が、立方体の上面と対向する下面を構成する第５の多面体と、各底面の各辺により連結され、かつ、
第５の多面体が、立方体の第１の側面と対向する第４の側面を構成する第６の多面体と、各底面の各辺により連結され、
第１の立方体の第３の多面体が、第２の立方体の第６の多面体と、各底面の各辺により連結され、
第２の立方体の第３の多面体が、第１の立方体の第６の多面体と、各底面の各辺により連結されていることを特徴とする多面体玩具である。【０００８】
本発明においては、少なくとも１台の多面体玩具により遊戯可能な多面体玩具となっていることが好ましい。【０００９】
本発明においては、２台の多面体玩具を互いに雌雄状にして嵌合することにより、遊戯可能な多面体玩具となっていることが好ましい。【００１０】
本発明においては、１２個の多面体が１つの連結部材を介して連結されていることが好ましい。【００１１】
この場合においては、１２個の多面体が１つの連結部材を介して互いに間隔を空けて連結されていることが好ましい。【００１２】
さらにこの場合においては、連結部材の幅寸法は、多面体の底面の辺の寸法よりも短いことが好ましい。
【発明の効果】
【００１３】
本発明によれば、遊戯パターンが豊富であり、かつ、形態の変化の予測がつかず、そのことによりパズルの要素を高めることが可能な多面体玩具を提供することができる。
【図面の簡単な説明】
【００１４】
【図１】２つの立方体を形成した状態の多面体玩具の上面側からの斜視図
【図２】同底面側からの斜視図
【図３】立方体における多面体の頂点及び辺の位置関係を示す斜視図
【図４】玩具の多面体の底面を展開した展開図の一例
【図５】（Ａ）は本体部の上面側の斜視図であり、（Ｂ）は本体部の底面側の斜視図
【図６】（Ａ）は蓋部の上面側の斜視図であり、（Ｂ）は蓋部の底面側の斜視図
【図７】連結部材の平面図
【図８】遊戯パターンＡにおける多面体玩具の形態を示す斜視図
【図９】同斜視図
【図１０】同斜視図
【図１１】同斜視図
【図１２】同斜視図
【図１３】同斜視図
【図１４】同斜視図
【図１５】同斜視図
【図１６】同斜視図
【図１７】同斜視図
【図１８】同斜視図
【図１９】同斜視図
【図２０】遊戯パターンＢにおける２つの多面体玩具の形態を示す斜視図
【図２１】同斜視図
【図２２】同斜視図
【図２３】同斜視図
【図２４】同斜視図
【図２５】同斜視図
【図２６】同斜視図
【図２７】同斜視図
【図２８】遊戯パターンＣにおける２つの多面体玩具の形態を示す斜視図
【図２９】同斜視図
【図３０】同斜視図
【図３１】同斜視図
【図３２】同斜視図
【図３３】同斜視図
【図３４】遊戯パターンＤにおける２つの多面体玩具の形態を示す斜視図
【図３５】同斜視図
【図３６】同斜視図
【図３７】同斜視図
【図３８】同斜視図
【図３９】同斜視図
【図４０】同斜視図
【図４１】同斜視図
【図４２】同斜視図
【発明を実施するための形態】
【００１５】
以下、本発明の実施形態について、図面を参照して詳細に例示説明する。なお、本明細書においては、共通する構成には、共通する用語を用いると共に、各図において略同一に図示して詳細な説明は省略し、必要に応じて同一の符号で示すこととする。
【００１６】
本実施形態の多面体玩具（以下、単に玩具とも称する）１は、１２個の多面体Ｕ１〜Ｕ６及びＶ１〜Ｖ６を備えており、各多面体Ｕ１〜Ｕ６及びＶ１〜Ｖ６はそれぞれ、底面Ｕ１ａ〜Ｕ６ａ及びＶ１ａ〜Ｖ６ａと、底面Ｕ１ａ〜Ｕ６ａ及びＶ１ａ〜Ｖ６ａの４つの辺Ｕ１ｂ〜Ｕ６ｂ及びＶ１ｂ〜Ｖ６ｂ、Ｕ１ｃ〜Ｕ６ｃ及びＶ１ｃ〜Ｖ６ｃ、Ｕ１ｄ〜Ｕ６ｄ及びＶ１ｄ〜Ｖ６ｄ、Ｕ１ｅ〜Ｕ６ｅ及びＶ１ｅ〜Ｖ６ｅ、並びに、４つの三角形面Ｕ１ｆ〜Ｕ６ｆ及びＶ１ｆ〜Ｖ６ｆ、Ｕ１ｇ〜Ｕ６ｇ及びＶ１ｇ〜Ｖ６ｇ、Ｕ１ｈ〜Ｕ６ｈ及びＶ１ｈ〜Ｖ６ｈ、Ｕ１ｉ〜Ｕ６ｉ及びＶ１ｉ〜Ｖ６ｉと、を備える４角錐形状を有している。図１においては、６つの多面体Ｕ１〜Ｕ６が第１の立方体１１を形成しており、６つの多面体Ｖ１〜Ｖ６が第２の立方体２１を形成している。図１及び図２においては、第１の立方体１１及び第２の立方体２１を同一平面上に載置した状態が示されている。なお、第２の立方体２１が有する構成のうち、第１の立方体１１の構成と共通する構成については、第１の立方体１１と同一の名称及び符号を付してその説明を省略する。
【００１７】
図１及び図２の状態においては、多面体Ｕ１〜Ｕ６は、三角形面が他の多面体の三角形面と重なっている。同様に、多面体Ｖ１〜Ｖ６は、三角形面が他の多面体の三角形面と重なっている。そのため、図３に示すように、多面体Ｕ１〜Ｕ６及びＶ１〜Ｖ６はそれぞれ、第１の立方体１１及び第２の立方体２１の各対角線Ｃが交わる点に４角錐形状の頂点Ｔが形成され、各対角線Ｃに沿って各稜線が形成されている。図３においては、対角線Ｃを一点鎖線にて示している。
【００１８】
本実施形態では、第１の立方体１１及び第２の立方体２１を同一平面上に載置した状態において、第１の多面体Ｕ１及びＶ１がそれぞれ、第１の立方体１１及び第２の立方体２１の上面１１ａ及び２１ａを構成している。
【００１９】
第２の多面体Ｕ２及びＶ２はそれぞれ、第１の立方体１１及び第２の立方体２１の第１の側面１１ｂ及び２１ｂを構成している。
【００２０】
第３の多面体Ｕ３及びＶ３はそれぞれ、第１の立方体１１及び第２の立方体２１の第２の側面１１ｃ及び２１ｃを構成している。第２の側面１１ｃ及び２１ｃはそれぞれ、第１の側面１１ｂ及び２１ｂに隣接している。
【００２１】
第４の多面体Ｕ４及びＶ４はそれぞれ、第１の立方体１１及び第２の立方体２１の第３の側面１１ｄ及び２１ｄを構成している。第３の側面１１ｄ及び２１ｄはそれぞれ、第２の側面１１ｃ及び２１ｃと対向している。
【００２２】
第５の多面体Ｕ５及びＶ５はそれぞれ、第１の立方体１１及び第２の立方体２１の下面１１ｆ及び２１ｆを構成している。
【００２３】
第６の多面体Ｕ６及びＶ６はそれぞれ、第１の立方体１１及び第２の立方体２１の第４の側面１１ｅ及び２１ｅを構成している。第４の側面１１ｅ及び２１ｅはそれぞれ、第１の側面１１ｂ及び２１ｂと対向している。
【００２４】
これらの多面体Ｕ１〜Ｕ６及びＶ１〜Ｖ６は、第１の立方体１１及び第２の立方体２１において、次のような連結関係を備えている。
【００２５】
第１の立方体１１においては、第１の立方体１１の上面１１ａは、第１の多面体Ｕ１の４角錐形状の底面Ｕ１ａにより構成されている。底面Ｕ１ａの辺Ｕ１ｂは、第２の多面体Ｕ２の底面Ｕ２ａの辺Ｕ２ｂと連結されている。また底面Ｕ１ａの辺Ｕ１ｃは、第３の多面体Ｕ３の底面Ｕ３ａの辺Ｕ３ｂと連結されている。
【００２６】
第１の立方体１１の第１の側面１１ｂは、第２の多面体Ｕ２の４角錐形状の底面Ｕ２ａにより構成されている。底面Ｕ２ａの辺Ｕ２ｃは、第４の多面体Ｕ４の底面Ｕ４ａの辺Ｕ４ｄと連結されている。
【００２７】
第１の立方体１１の第２の側面１１ｃは、第３の多面体Ｕ３の４角錐形状の底面Ｕ３ａにより構成されている。
【００２８】
第１の立方体１１の第３の側面１１ｄは、第４の多面体Ｕ４の４角錐形状の底面Ｕ４ａにより構成されている。底面Ｕ４ａの辺Ｕ４ｅは、第５の多面体Ｕ５の底面Ｕ５ａの辺Ｕ５ｄと連結されている。
【００２９】
第１の立方体１１の下面１１ｆは、第５の多面体Ｕ５の４角錐形状の底面Ｕ５ａにより構成されている。底面Ｕ５ａの辺Ｕ５ｅは、第６の多面体Ｕ６の底面Ｕ６ａの辺Ｕ６ｅと連結されている。
【００３０】
第１の立方体１１の第４の側面１１ｅは、第６の多面体Ｕ６の４角錐形状の底面Ｕ６ａにより構成されている。
【００３１】
第２の立方体２１においては、第１の多面体Ｖ１〜第６の多面体Ｖ６はそれぞれ、第１の立方体１１における第１の多面体Ｕ１〜第６の多面体Ｕ６と同様の連結関係を有している。
【００３２】
さらに、第１の立方体１１を構成する第３の多面体Ｕ３の４角錐形状の底面Ｕ３ａの辺Ｕ３ｄは、第２の立方体２１を構成する第６の多面体Ｖ６の４角錐形状の底面Ｖ６ａの辺Ｖ６ｃと連結されている。同様に、第１の立方体１１を構成する第６の多面体Ｕ６の４角錐形状の底面Ｕ６ａの辺Ｕ３ｃは、第２の立方体２１を構成する第３の多面体Ｖ３の４角錐形状の底面Ｖ３ａの辺Ｖ３ｄと連結されている。
【００３３】
このように本実施形態の玩具１では、第１の立方体１１及び第２の立方体２１は、第３の多面体Ｕ３と第６の多面体Ｖ６との連結構造、及び、第６の多面体Ｕ６と第３の多面体Ｖ３との連結構造とにより、連結されている。
【００３４】
図４に示す本実施形態の玩具１の展開図の一例から明らかなように、本実施形態の玩具１では、各多面体Ｕ１〜Ｕ６及びＶ１〜Ｖ６はそれぞれ、底面の隣接する２辺が、他の多面体と連結されている。
【００３５】
ここで、各多面体Ｕ１〜Ｕ６及びＶ１〜Ｖ６の構成について、第１の多面体Ｕ１を例として説明する。なお、多面体Ｕ２〜Ｕ６及びＶ１〜Ｖ６が有する構成のうち、多面体Ｕ１の構成と共通する構成については、多面体Ｕ１と同様の名称及び符号を付してその説明を省略する。
【００３６】
図５及び６に示すように、第１の多面体Ｕ１は、４角錐形状の側面を構成する４つの三角形面Ｕ１ｆ〜Ｕ１ｉを有する本体部３１と、４つの三角形面の底面側の端部により囲まれた開口部３１ａを塞ぐように本体部３１に取り付けられる蓋部３２とを有している。本実施形態では、本体部３１及び蓋部３２はいずれも合成樹脂により形成されている。
【００３７】
本実施形態の本体部３１の４つの三角形面Ｕ１ｆ〜Ｕ１ｉは、４角錐形状の底面Ｕ１ａ側の端部が、対向する三角形面の底面Ｕ１ａ側の端部に向かって折り返されて折り返し部３１ｂが形成されている。このような折り返し部は、対向する三角形面の底面Ｕ１ａ側の端部に向かう寸法が、１．５ｍｍ以上であることが好ましい。このような寸法とすることにより、玩具１の強度及び精度を確保することができる。本実施形態では、隣接する２つの三角形面Ｕ１ｆ及びＵ１ｇは、４角錐形状の底面Ｕ１ａ側の端部の全体に亘って折り返し部３１ｂが形成されている。また、残りの隣接する２つの三角形面Ｕ１ｈ及びＵ１ｉは、４角錐形状の底面Ｕ１ａ側の端部の延在方向の両端部領域のみに折り返し部３１ｂが形成されており、三角形面の端部の延在方向の中央領域には、折り返し部３１ｂが形成されていない。即ち本実施形態では、隣接する２つの三角形面Ｕ１ｈ及びＵ１ｉは、底面Ｕ１ａ側の端部の延在方向の中央領域に、折り返し部３１ｂに挟まれた凹部３１ｃがそれぞれ形成されている。このような凹部３１ｃが形成される場合、折り返し部３１ｂは、底面Ｕ１ａ側の端部の延在方向における隣接する辺の接続部からの寸法が、対向する三角形面の底面Ｕ１ａ側の端部に向かう折り返し部の寸法以上であることが好ましく、具体的には、対向する三角形面の底面Ｕ１ａ側の端部に向かう折り返し部の１００〜２００％の寸法であることが好ましい。このような寸法とすることにより、玩具１の強度及び精度を確保しつつ、シートのぐらつきや強度不足を抑制することができる。
【００３８】
蓋部３２は、本体部３１の開口部３１ａの全体を塞ぐ形状を有している。特に本実施形態の蓋部３２は、凹部３１ｃと若干の間隔を空けて、凹部３１ｃの底面Ｕ１ａ側の全体を塞ぐ形状を有している。さらに本実施形態の蓋部３２は、蓋部３２を本体部３１に取り付けた状態で、折り返し部３１ｂと蓋部３２とが実質的に面一となるように構成されている。このように本実施形態では、折り返し部３１ｂと、蓋部３２とにより、第１の多面体Ｕ１の底面Ｕ１ａが構成されている。
【００３９】
本実施形態では、本体部３１の内部に、４角錐形状の頂点Ｔから開口部３１ａに向って、筒状部３１ｄが成形されている。そして、蓋部３２には、筒状部３１ｄの中空部３１ｅに嵌め入れられる柱状部３２ａが形成されている。そのため、本実施形態では、柱状部３２ａを筒状部３１ｄに嵌合することで、開口部３１ａが閉鎖されて、４角錐形状の多面体Ｕ１が構成される。特に本実施形態では、中空部３１ｅの断面を六角形形状とし、柱状部３２ａの断面を円形としている。このように、中空部３１ｅの断面の形状と、柱状部３２ａの断面の形状とを異ならせることにより、中空部３１ｅへの柱状部３２ａの挿入を容易に行うことができる。
【００４０】
特に本実施形態では、本体部３１の内部には、４角錐形状の底面Ｕ１ａ側の端部の近傍に、押し止め部３１ｆが形成されている。本実施形態では、押し止め部３１ｆは、４角錐形状の底面Ｕ１ａ側の端部の近傍に、端部の全体に沿って環状に形成されている。このような押し止め部３１ｆを形成することにより、中空部３１ｅへの柱状部３２ａの挿入の際に、蓋部３２が本体部３１に過剰に付勢されて、本体部が破損することが防止されている。
【００４１】
本実施形態の第１の多面体Ｕ１は、例えば、本体部３１と蓋部３２について、それぞれ雄及び雌の各金型を用意し、各金型に射出成型機等により熱可撓性樹脂を射出成形することで製造することができる。
【００４２】
本実施形態では、多面体Ｕ２〜Ｕ６及びＶ１〜Ｖ６は、多面体Ｕ１と実質的に同じ構成を有している。なお、凹部３１ｃが形成される三角形面は、必要に応じて任意に変更できるのは当然である。
【００４３】
次に、各多面体Ｕ１〜Ｕ６及びＶ１〜Ｖ６の具体的な連結構造について説明する。本実施形態の玩具１では、連結部材４１を備えており、各多面体Ｕ１〜Ｕ６及びＶ１〜Ｖ６は、連結部材４１を介して他の多面体と連結されている。言い換えると、本実施形態の玩具１では、多面体同士が間接的に連結されている。
【００４４】
図７に示すように、本実施形態の連結部材４１は、階段形状を有する１枚のシートにより構成されている。より具体的には、本実施形態の連結部材４１は、１１個のＬ字状部分４１ａと、２個の長方形部分４１ｂとが接続された構成を有している。本実施形態では、１１個のＬ字状部分４１ａ及び２個の長方形部分４１ｂは一体的に形成されている。
【００４５】
本実施形態では、１１個のＬ字状部分４１ａは、互いに同じ形状を有しており、階段状となるように互いに接続されている。本実施形態のＬ字状部分４１ａは、大きな正方形の一つの角から小さな正方形を切り欠いた形状となっている。そのため、角Ｌ字状部分４１ａは、小さな正方形を切り欠く前の大きな正方形の対角線を軸に線対称となっている。
【００４６】
長方形部分４１ｂの長辺は、Ｌ字状部分４１ａにおける小さな正方形を切り欠く前の大きな正方形の辺と同じ寸法を有している。また、長方形部分４１ｂの短辺は、Ｌ字状部分４１ａにおける大きな正方形の辺の寸法と小さな正方形の辺の寸法との差に等しい寸法を有している。特に本実施形態では、長方形部分４１ｂの短辺の寸法を、凹部３１ｃの長手方向の寸法と実質的に同じ寸法としている。即ち本実施形態では、連結部材４１の幅寸法は、多面体の底面の辺の寸法の６０％となっている。
【００４７】
図７においては、Ｌ字状部分同士の境界及びＬ字状部分と長方形部材との境界を破線で示している。この破線で示された境界は、連結される２つの多面体の中間に位置することとなる。本実施形態では、１１個のＬ字状部分４１ａ及び２個の長方形部分４１ｂにはそれぞれ、貫通孔Ｈが形成されている。
【００４８】
本実施形態の連結部材４１は、ポリスチレンから構成されている。このようなシート状の連結部材４１は、例えばポリスチレンシートを連結部材の形状に打抜き加工することにより製造することができる。
【００４９】
次に本実施形態の玩具１の組み立ての態様の一例について説明する。まず、連結部材４１の２つの長方形部分４１ｂの貫通孔Ｈを重ね合わせて、連結部材４１を環状にする。次に重ね合わせた２つの長方形部分４１ｂの貫通孔Ｈに、本体部３１の筒状部３１ｄを挿入する。挿入後、２つの長方形部分４１ｂを２つの凹部３１ｃ上にそれぞれ配置する。配置後、連結部材４１が蓋部３２と凹部３１ｃとにより挟まれるように、蓋部３２の柱状部３２ａを、筒状部３１ｄの中空部３１ｅに嵌め入れて、１つめの多面体が形成される。
【００５０】
次に、連結部材４１の他の貫通孔Ｈに他の多面体の本体部３１の筒部３１ｄを挿入し、Ｌ字状部分４１ａ同士の境界付近を凹部３１ｃ上に配置し、蓋部３２の柱状部３２ａを、筒部３１ｄの中空部３１ｅに嵌め入れることで２つめの多面体が形成される。
【００５１】
連結部材４１の残りの貫通孔Ｈに対して同様の作業を行うことで、連結部材４１により１２個の多面体が連結された本実施形態の玩具１が組み立てられる。
【００５２】
本実施形態では、多面体Ｕ１〜Ｕ６及びＶ１〜Ｖ６は、連結部材４１を介して他の多面体と間接的に連結されている。そのため、連結された２つの多面体が間隔をあけて連結されているので、一方の多面体を他方の多面体に対して回転させる際に、他方の多面体が一方の多面体に接触等することにより、回転動作の障害となること及び回転動作の際に多面体が破損することを抑制できる。
【００５３】
特に本実施形態では、多面体同士を連結する部分における連結部材４１の幅寸法が、凹部３１ｃの長手方向の寸法と実質的に同じ寸法であるため、多面体は、三角形面の端部の延在方向の中央領域でのみ、他の多面体と連結されており、三角形面の端部の延在方向の両端部領域では他の多面体と連結されていない。そのため、連結された２つの多面体を、その底面同士がねじれるように変位させることができる。よって、回転動作をスムーズに行うことができるとともに、連結された多面体の可動範囲を広くすることができる。そのため、変形のバリエーションを豊富にすることができる。
【００５４】
玩具１の遊技方法を例示すると次のとおりである。
＜遊技パターンＡ＞
この遊技パターンＡは、１台の玩具１を用意し、その玩具１により種々の形態に変容させるものである。
本実施形態の玩具１は、図１に示す２つの正方形が連結された形態から、例えば、１つの凸多面体を構成する形態（図８）、１つの直方体を構成する形態（図９）、２つの正二十面体が連結された形態（図１０）、平面視した状態において多面体の三角形面のみが見える形態（図１１〜１４）、平面視した状態において多面体の三角形面及び底面が見える形態（図１５〜図１９）に変形させることができる。図９〜図１９に示す形態では、平面視した状態において、玩具１の中心を軸として又は玩具１の中心を通る平面を軸として対称な２つの図形を組み合わせた形態となっている。
【００５５】
＜遊技パターンＢ＞
この遊技パターンＢは、２台の玩具１を用意して遊技するもので、２台の玩具を玩具ａ及び玩具ｂとすると、玩具ａ及び玩具ｂを図１に示す２つの正方形が連結された形態及び／又は図９に示す１つの直方体を構成する形態として、これらを横方向及び縦方向に組み合わせて、１段又は２段の組み合わせ形態（図２０〜２７）とするものである。なお、図２０〜２７においては、玩具ａの底面及び三角形面は白抜きで表示し、玩具ｂ底面及び三角形面は網掛けで表示する。
【００５６】
＜遊技パターンＣ＞
この遊技パターンＣは、２台の玩具１を用意して遊技するもので、２台の玩具を玩具ａ及び玩具ｂとすると、玩具ａ及び玩具ｂを図８に示す１つの凸多面体を構成する形態として、これらを横方向及び縦方向に組み合わせて、１段又は２段の組み合わせ形態（図２８〜３３）とするものである。なお、図２８〜３３においては、玩具ａの底面及び三角形面は白抜きで表示し、玩具ｂ底面及び三角形面は網掛けで表示する。
【００５７】
＜遊技パターンＤ＞
この遊技パターンＤは、２台の玩具１を用意して遊技するもので、２台の玩具を玩具ａ及び玩具ｂとすると、玩具ａ及び玩具ｂを、例えば図１５〜図２９に示すような、平面視した状態において多面体の三角形面及び底面が見える形態として、これらを雌雄状にして嵌合した形態（図３４〜４２）とするものである。なお、図３４〜４２においては、玩具ａの底面及び三角形面は白抜きで表示し、玩具ｂ底面及び三角形面は網掛けで表示する。
ここで雌雄状にして嵌合した形態とは、一方の玩具の複数の面により構成される凹部に、他方の玩具の複数の面により構成される凸部が嵌合した状態にあることを示す。
【００５８】
以上、遊技パターンＡに示されたように、１台の玩具１でも、その形態の変化を楽しむことができる。
また、遊技パターンＢ〜Ｄのように、豊富な遊技パターンを提供することができ、その際に、形態の変化の予測がつかない遊技パターンを提供するができる。特に遊技パターンＢ〜Ｄでは、２つの玩具１を異なる色とすることにより、表面色の組み合わせを作り出すことができるか否かのバズルの要素を盛り込むことができる。
【００５９】
本発明は、以上説明した実施形態に限定されるものではなく、多くの変形が本発明の技術的思想内で当分野において、通常の知識を有する者により可能である。
本明細書において、発明の構成要素が単数もしくは複数のいずれか一方として説明された場合、又は、単数もしくは複数のいずれとも限定されずに説明された場合であっても、文脈上別に解すべき場合を除き、当該構成要素は単数又は複数のいずれであってもよい。
本発明を図面及び詳細な実施の形態を参照して説明したが、当業者であれば、本明細書において開示された事項に基づいて種々の変更又は修正が可能であることが理解されるべきである。従って、本発明の実施形態の範囲には、いかなる変更又は修正が含まれることが意図されている。
【符号の説明】
【００６０】
１：多面体玩具
１１  第１の立方体
１１ａ：上面  １１ｂ：第１の側面  １１ｃ：第２の側面  １１ｄ：第３の側面
１１ｅ：第４の側面  １１ｆ：下面
２１：第２の立方体
２１ａ：上面  ２１ｂ：第１の側面  ２１ｃ：第２の側面  ２１ｄ：第３の側面
２１ｅ：第４の側面  ２１ｆ：下面
３１：本体部
３１ａ：開口部  ３１ｂ：折り返し部  ３１ｃ：凹部  ３１ｄ：筒状部
３１ｅ：中空部  ３１ｆ：押し止め部
３２：蓋部
３２ａ：柱状部
４１：連結部材
４１ａ：Ｌ字状部分  ４１ｂ：長方形部分
Ｃ：対角線
Ｈ：貫通孔
Ｔ：頂点
Ｕ１：第１の多面体
Ｕ１ａ：底面  Ｕ１ｂ：辺  Ｕ１ｃ：辺  Ｕ１ｄ：辺  Ｕ１ｅ：辺
Ｕ１ｆ：三角形面  Ｕ１ｇ：三角形面  Ｕ１ｈ：三角形面  Ｕ１ｉ：三角形面
Ｕ２  第２の多面体
Ｕ２ａ：底面  Ｕ２ｂ：辺  Ｕ２ｃ：辺  Ｕ２ｄ：辺  Ｕ２ｅ：辺
Ｕ３  第３の多面体
Ｕ３ａ：底面  Ｕ３ｂ：辺  Ｕ３ｃ：辺  Ｕ３ｄ：辺  Ｕ３ｅ：辺
Ｕ４  第４の多面体
Ｕ４ａ：底面  Ｕ４ｂ：辺  Ｕ４ｃ：辺  Ｕ４ｄ：辺  Ｕ４ｅ：辺
Ｕ５  第５の多面体
Ｕ５ａ：底面  Ｕ５ｂ：辺  Ｕ５ｃ：辺  Ｕ５ｄ：辺  Ｕ５ｅ：辺
Ｕ６  第６の多面体
Ｕ６ａ：底面  Ｕ６ｂ：辺  Ｕ６ｃ：辺  Ｕ６ｄ：辺  Ｕ６ｅ：辺
Ｖ１  第１の多面体
Ｖ１ａ：底面  Ｖ１ｂ：辺  Ｖ１ｃ：辺  Ｖ１ｄ：辺  Ｖ１ｅ：辺
Ｖ２  第２の多面体
Ｖ２ｆ：三角形面  Ｖ２ｇ：三角形面  Ｖ２ｈ：三角形面  Ｖ２ｉ：三角形面
Ｖ３  第３の多面体
Ｖ３ａ：底面  Ｖ３ｂ：辺  Ｖ３ｃ：辺  Ｖ３ｄ：辺  Ｖ３ｅ：辺
Ｖ４  第４の多面体
Ｖ４ａ：底面  Ｖ４ｂ：辺  Ｖ４ｃ：辺  Ｖ４ｄ：辺  Ｖ４ｅ：辺
Ｖ５  第５の多面体
Ｖ５ａ：底面  Ｖ５ｂ：辺  Ｖ５ｃ：辺  Ｖ５ｄ：辺  Ｖ５ｅ：辺
Ｖ６  第６の多面体
Ｖ６ａ：底面  Ｖ６ｂ：辺  Ｖ６ｃ：辺  Ｖ６ｄ：辺  Ｖ６ｅ：辺
【要約】
遊戯パターンが豊富であり、かつ、形態の変化の予測がつかず、そのことによりパズルの要素を高めることが可能な多面体玩具を提供する。立方体の上面を構成する第１の多面体が、立方体の第１の側面を構成する第２の多面体及び第１の側面と隣接する第２の側面を構成する第３の多面体と、各底面の各辺により連結され、第２の多面体が、立方体の第２の側面と対向する第３の側面を構成する第４の多面体と、各底面の各辺により連結され、第４の多面体が、立方体の上面と対向する下面を構成する第５の多面体と、各底面の各辺により連結され、かつ、第５の多面体が、立方体の第１の側面と対向する第４の側面を構成する第６の多面体と、各底面の各辺により連結され、第１の立方体の第３の多面体が、第２の立方体の第６の多面体と、各底面の各辺により連結され、第２の立方体の第３の多面体が、第１の立方体の第６の多面体と、各底面の各辺により連結されている。【図１】
0006720407.tif 000002
【図２】
0006720407.tif 000003
【図３】
0006720407.tif 000004
【図４】
0006720407.tif 000005
【図５】
0006720407.tif 000006
【図６】
0006720407.tif 000007
【図７】
0006720407.tif 000008
【図８】
0006720407.tif 000009
【図９】
0006720407.tif 000010
【図１０】
0006720407.tif 000011
【図１１】
0006720407.tif 000012
【図１２】
0006720407.tif 000013
【図１３】
0006720407.tif 000014
【図１４】
0006720407.tif 000015
【図１５】
0006720407.tif 000016
【図１６】
0006720407.tif 000017
【図１７】
0006720407.tif 000018
【図１８】
0006720407.tif 000019
【図１９】
0006720407.tif 000020
【図２０】
0006720407.tif 000021
【図２１】
0006720407.tif 000022
【図２２】
0006720407.tif 000023
【図２３】
0006720407.tif 000024
【図２４】
0006720407.tif 000025
【図２５】
0006720407.tif 000026
【図２６】
0006720407.tif 000027
【図２７】
0006720407.tif 000028
【図２８】
0006720407.tif 000029
【図２９】
0006720407.tif 000030
【図３０】
0006720407.tif 000031
【図３１】
0006720407.tif 000032
【図３２】
0006720407.tif 000033
【図３３】
0006720407.tif 000034
【図３４】
0006720407.tif 000035
【図３５】
0006720407.tif 000036
【図３６】
0006720407.tif 000037
【図３７】
0006720407.tif 000038
【図３８】
0006720407.tif 000039
【図３９】
0006720407.tif 000040
【図４０】
0006720407.tif 000041
【図４１】
0006720407.tif 000042
【図４２】
0006720407.tif 000043